(57)【要約】【課題】付箋紙またはシールのような小さな印刷物にもパソコンで容易に印刷ができるようにする。またシールのように強い粘着剤の施された印刷物の脱着を容易にする。非粘着性の印刷物を容易にパソコン印刷補助具に固定する。【解決手段】印刷機が指定する寸法のシートを二枚重ねて付箋紙またはシールを間に挟むことで印刷を可能にする、また印刷物を取付けるシートに凹凸を設けることによって強粘着剤の施された印刷物の脱着も容易になる。重ねて綴じるシートの内面側に粘着剤を設けることによって印刷物を挟むだけでシートに固定できる。【選択図】図１
0003160166.tif 000002
【実用新案登録請求の範囲】
【請求項１】
印刷機に使用可能な寸法である基シート１に副シート２を重ね、印刷機に挿入する方向の先端またはその近くを綴じる。副シート２に印刷物の印刷面が露出する以上の大きさの開口穴を設ける。以上からなるパソコン印刷補助具。
【請求項２】
基シート１と副シート２が対象物が視認できる程度以上の透明度を有する請求項１のパソコン印刷補助具。
【請求項３】
印刷物を取付けるシートに凹凸を設け印刷物の粘着力を弱くした請求項１のパソコン印刷補助具。              
【請求項４】
印刷物を取付けるシートに剥離剤を設けた請求項１のパソコン印刷補助具。
【請求項５】
基シート１と副シート２を重ねて綴じたとき副シート２の内面側の開口穴４の少なくとも周辺部以上広範囲に弱粘着性の粘着剤を施した請求項１のパソコン印刷補助具。
【請求項６】
基シート１と副シート２を重ねて綴じたとき基シート１の内面側に粘着剤を施した請求項１のパソコン印刷補助具。
【考案の詳細な説明】
【技術分野】
【０００１】
パーソナルコンピュータ（以下パソコンと略称する）とインクジェット式印刷機（以下印刷機と略称する）の組み合わせに依る印刷において不定形紙に印刷をするものである。付箋紙、ラベル等印刷物単独では印刷機で印刷できない小さな印刷物に印刷をする。
【背景技術】
【０００２】
葉書及びB5及びA4等また、その他の寸法で印刷機が指定する定形用紙の印刷はパソコン及び印刷機に組み込まれたソフトウエアに依って印刷されている。そのため決められた寸法の用紙を用いる必要がある。従来の技術では一枚のシートに印刷物を取付けるためのホルダーを接着してそのホルダーによって印刷物を固定し取付けていた。また印刷物の取付を容易にするため案内部材を設けている。これらはホルダー取付けが複雑であり手数がかかる。またホルダーに印刷物を挿入し難いため案内部材を設けているが、シートから浮き上がり印刷機のノズルに接触する等の欠点がある。またこれらは比較的大きな封筒、送り状、等を印刷するものである。その他シートに粘着物を施しその粘着物に印刷物を粘着し取付けて印刷をしている。そのため印刷機に粘着剤が付着する。
【先行技術文献】
【特許文献】
【０００３】
【特許文献１】特開２００９−９０４８７
【０００４】
【特許文献２】実用新案  ３１２８０３４
【０００５】
【特許文献３】特開H０９−３００７６３
【考案の概要】
【考案が解決しようとする課題】
【０００６】
この考案では付箋紙及びラベル等の小さな印刷物に印刷ができるようにする。印刷物を取付けるシートに印刷物を容易に脱着できるようにする。印刷物がインクノズルに接触して汚れることを防ぐ。粘着剤が印刷機に付着するのを防ぐ。
【課題を解決するための手段】
【０００７】
シートを重ねたとき対象物が視認できる程度以上の透明度がある基シート１に前記透明度のある副シート２を重ね、印刷機に挿入する方向の先端またはその近くを綴じる。副シート２に印刷物よりも二方向か、それ以上の方向が小さな寸法の切り抜きの開口穴４を設ける。以上のようなパソコン印刷補助具を印刷機が指定する定形用紙と同寸法とし重ねた基シート１と副シート２の間に印刷物を挟み開口穴４から印刷物を露出させ、そこに印刷をする。基シート１と副シート２を重ねたとき副シート２の内面部分に弱粘着性の粘着剤を施し印刷物を固定する。
【０００８】
印刷時に於いて印刷位置を特定する為、前記パソコン印刷補助具と幅が同寸法のシート３に縦横の罫線を印刷する。罫線を印刷したシート３に前記印刷物を挟んだパソコン印刷補助具を重ね印刷物と罫線が重なる部分の罫線を読み取る。シート３に印刷された罫線の位置とパソコンの画面上の罫線の位置は同じであり印刷物の位置を特定できる。罫線の間隔は狭いほど正確に印刷位置を特定できる。パソコンの画面の位置と印刷位置の関係はパソコンと印刷機の組み合わせに依って微妙に異なるのでパソコンと印刷機は同一の組み合わせが望ましい。
【０００９】
罫線を印刷するシート３は普通のコピー用紙でよい。罫線を印刷するシート３は透明でもよい。一度位置が確定できれば印刷物を取付けるパソコン印刷補助具に印を記入することによって次回から罫線による特定は必要なくなるので作業は容易になる。このパソコン印刷補助具は付箋紙、ラベル等を印刷するものであるが、副シートの開口穴の寸法を変えることによって他の用紙も印刷できる。
【００１０】
粘着力の強いラベル等のパソコン印刷補助具への脱着はシートに凹凸を設けラベルのシートに対する粘着面積を小さくして脱着を容易にすることができる。また剥離剤を塗布することによっても脱着を容易にできる。
【００１１】
基シート１と副シート２を重ねて綴じたとき基シート１の内面側に粘着剤を施しその粘着剤によつて印刷物をシートに取付けることができる。粘着剤を副シート２で覆うので粘着剤が印刷機に付着することはない印刷物の無い開口穴４は紙片等を取付け塞ぐことができる。
【考案の効果】
【００１２】
この印刷補助具は基シート１と副シート２を重ねてあるだけなので副シート２を開いて印刷物を挟むので容易に印刷物の取付ができる。案内部材も必要ない。印刷物の一辺、必要に応じて複数辺が副シート２によって押さえられるので印刷物が印刷時にシートから剥離することを防止できる。印刷物の浮き上がりに依るインク汚れ等が防止できる。印刷物を定形紙と同寸法のパソコン印刷補助具に取り付けるため印刷位置の誤差は1.0ミリ以下にでき小さなラベルにも印刷できる。印刷物を取り付ける透明シートに凹凸を設ける、または剥離剤を塗布する、これらによって粘着力の強いラベル等も取り付け取外しが容易にできる。一度罫線を用いて印刷位置を特定してシートに印をすることによって次回からの印刷物の取付けは罫線を用いる必要は無く容易になる。基シート１と副シート２を重ねた副シート２の内面側に弱粘着性粘着剤を施すため粘着剤と印刷機が接することは無くなる。また基シート１に粘着剤を施したものは副シート２によって覆われるので粘着剤と印刷機が接することは無くなる。
【図面の簡単な説明】
【００１３】
【図１】図１基シートと副シートの先端をずらして綴じたパソコン印刷補助具の全体  斜視図
【図２】図２は開口穴４の形状を変え印刷物を取付けたパソコン印刷補助具の斜視図
【図３】図３は罫線を印刷したシート３と透明なパソコン印刷補助具を重ねる直前の斜視図
【図４】図４は罫線と印刷物が重なったパソコン印刷補助具の一例の平面図
【図５】図５はシートの一部に凹凸を設けた分解斜視図
【図６】図６は基シートと副シートの先端を綴じた印刷補助具の斜視図
【図７】図７は開口穴周辺部に粘着剤を施した印刷補助具の斜視図
【図８】図８は基シート１の内面側に粘着剤を施した分解斜視図
【考案を実施するための形態】
【実施例１】
【００１４】
合成樹脂等の透明シートを用いて印刷機で印刷できる寸法の基シート１及び副シート２を製作する。これらのシートを重ね印刷機に挿入する方向の先端部分を綴じる。副シート２に印刷物に必要な大きさ必要な数の開口穴４を設ける。印刷時には印刷物の印刷面を開口穴４から露出するように基シート１と副シート２の間に挟んで取り付ける。露出した面に印刷をする。
【実施例２】
【００１５】
基シート１または副シート２のいずれかでも不透明であれば罫線印刷シート４は透明シートを用いパソコン印刷補助具の表面に重ねれば印刷物の位置を読み取ることができる。
【実施例３】
【００１６】
粘着力の強い粘着剤を使用したラベルを前記シートに取付ける場合、取付けるシートに凹凸を多数設ける。その面にラベルを取付ければラベルの粘着面とシートの接する面積が小さくなり容易に脱着できる。この凹凸は使用目的によってシート全面又は一部に施すことができる。凹凸は剥離剤を塗布することによって代用できる。
【実施例４】
【００１７】
基シート１と副シート２を綴じる場合、印刷機に挿入する方向に対して前方となる先端を揃えて綴じる。また一枚のシートを折り返して一枚を基シート１としもう一方を副シート２にすることもできる。基シート１から副シート２を後方にずらして綴じることで印刷機のシート送りローラーに送り込み易すくすることができる。また前記シートで摩擦抵抗が弱い場合前方となる先端部分に紙を貼り付けて印刷機のローラに対して摩擦力を発生させ基シート１の送り込みを容易にできる。基シート１に微細な傷を生じさせ前記の紙を貼り付ける代用にできる。
【実施例５】
【００１８】
基シート１と副シート２を重ねて綴じたとき副シート２の内面側の開口穴４の少なくとも周辺部以上広範囲に粘着剤７を施し基シート１と副シート２の間に印刷物を挟む、これによって印刷物は副シート２に粘着されパソコン印刷補助具に固定できる。
【実施例６】
【００１９】
基シート１と副シート２を重ねて綴じたとき基シート１の内面側に粘着剤を施しその粘着剤によつて印刷物を取付ける。
【産業上の利用可能性】
【００２０】
付箋紙は通常手書きで文字の記入をしていたが、このパソコン印刷補助具を使用することで文字、イラスト、写真等が印刷できるようになる。また市販のラベル印刷固有のソフトウエアーを用いずに自由な大きさのラベルが印刷ができる。
【符号の説明】
【００２１】
１は  基シート
２は  副シート
３は  罫線を印刷したシート    
４は  開口穴  
５は  印刷物
６は  凹凸
７は  粘着剤
８は  粘着剤
【図１】
0003160166.tif 000003
【図２】
0003160166.tif 000004
【図３】
0003160166.tif 000005
【図４】
0003160166.tif 000006
【図５】
0003160166.tif 000007
【図６】
0003160166.tif 000008
【図７】
0003160166.tif 000009
【図８】
0003160166.tif 000010
【手続補正書】
【提出日】平成22年4月1日(2010.4.1)
【手続補正１】
【補正対象書類名】実用新案登録請求の範囲
【補正対象項目名】請求項１
【補正方法】変更
【補正の内容】
【請求項１】
印刷機に使用可能な寸法である基シート１に副シート２を重ね、印刷機に挿入する方向の先端またはその近くを綴じて構成し、副シート２に印刷物の印刷部分が露出する以上の大きさの開口穴を設けたことを特徴とするパソコン印刷補助具。
【手続補正２】
【補正対象書類名】実用新案登録請求の範囲
【補正対象項目名】請求項３
【補正方法】変更
【補正の内容】
【請求項３】
印刷物を取付ける基シート１に凹凸を設け印刷物の粘着力を弱くした請求項１のパソコン印刷補助具。              
【手続補正３】
【補正対象書類名】実用新案登録請求の範囲
【補正対象項目名】請求項４
【補正方法】変更
【補正の内容】
【請求項４】
印刷物を取付ける基シート１に印刷物の粘着力を弱くする剥離剤を設けた請求項１のパソコン印刷補助具。